(57)【要約】【課題】セル間の粒子の移動を効果的に抑止できる画像表示媒体の提供。【解決手段】電極２が形成された第１の基板１と、第１の基板１に相対向するように配置され、画素電極４が形成された第２の基板３と、第１の基板１に固定されているとともに、第１の基板１と第２の基板３との間の空間を行方向及び列方向に複数のセル６に区分するリブ５と、第１の基板１の電極２と第２の基板３の画素電極４との間に形成される電界の強度及び方向に応じて前記セルの内部を移動して画像を表示する遊動粒子７と、リブ５における第２の基板３に相対向する側の端部、または第２の基板３におけるリブ５に相対向する位置にある２つの互いに隣接する画素電極４の間の部分に設けられた導電部１０と、を備えた画像表示媒体。【選択図】図１
2011028186.tif 000002
【特許請求の範囲】
【請求項１】
電極が形成された第１の基板と、
前記第１の基板に相対向するように配置され、画素電極が形成された第２の基板と、
前記第１の基板に固定されているとともに、前記第１の基板と前記第２の基板との間の空間を行方向及び列方向に複数の区分けに区分する区分面と、
前記第１の基板の電極と前記第２の基板の画素電極との間に形成される電界の強度及び方向に応じて前記区分けの内部を移動して画像を表示する粒子と、
前記区分面における前記第２の基板に相対向する側の端部、及び前記第２の基板における前記区分面に相対向する位置にある２つの互いに隣接する画素電極の間の部分の少なくとも一方に設けられた導電部と、
を備えた画像表示媒体。
【請求項２】
電極が形成された第１の基板と、
前記第１の基板に相対向するように配置され、画素電極が形成された第２の基板と、
前記第１の基板に固定され、前記第１の基板と前記第２の基板との間の空間を行方向及び列方向に複数の区分けに区分する第１の区分面と、
前記第２の基板に前記第１の区分面に相対向するように固定され、前記第１の区分面とともに前記第１の基板と前記第２の基板との間の空間を行方向及び列方向に複数の区分けに区分する第２の区分面と、
前記第１の基板の電極と前記第２の基板の画素電極との間に形成される電界の強度及び方向に応じて前記区分けの内部を移動して画像を表示する粒子と、
前記第１の区分面における前記第２の基板に相対向する側の端部、前記第２の区分面、及び前記第２の基板における前記第２の区分面に相対向する位置にある２つの互いに隣接する画素電極の間の部分のうちの少なくとも１箇所に設けられた導電部と、
を備えた画像表示媒体。
【発明の詳細な説明】
【技術分野】
【０００１】
本発明は、画像表示媒体に関する。
【背景技術】
【０００２】
画像表示媒体としては、たとえば、夫々に電極を有する一対の基板間に液晶を挟持してなる液晶素子であって、上記一対の基板間隔が該基板に夫々接着された隔壁部材によって保持され、且つ該隔壁部材が導電性を有するものがある（特許文献１）
【０００３】
画像表示媒体としては、他に、画素電極を駆動するためのスイッチング能動素子が形成されるＴＦＴアレイ基板上に樹脂膜を形成し、前記樹脂膜に形成されるコンタクトホールを介して前記スイッチング能動素子と前記樹脂膜に形成される画素電極とをコンタクトさせ、前記ＴＦＴアレイ基板とこれに対向する対向基板との間のパネルギャップに液晶を封止するＴＦＴアレイ型液晶表示装置であって、前記コンタクトホールに、パネルギャップを形成するための柱状樹脂パターンを導電性を有する樹脂で形成するとともに、前記画素電極を前記柱状樹脂パターンに接するように形成することを特徴とする液晶表示装置がある（特許文献２）。
【０００４】
画像表示媒体において粒子の電気泳動を利用したものとしては、予め定めた間隔をあけた状態に配置された第１と第２の基板と、該基板の間隔を一定に保持するために画素の周囲に配置された隔壁と、該基板の間隙に配置された絶縁性液体と、該絶縁性液体に分散された複数の帯電泳動粒子と、第１の基板に配置された第１電極と、隔壁近傍に配置された第２電極とを少なくとも備え、該第１電極と第２電極を介して電圧を印加して前記帯電営巣粒子を第１電極面と隔壁側面及びその近傍間とを移動することによって表示を行う電気泳動表示装置において、前記隔壁と第２の基板との接触面積が第１の基板との接触面積よりも大きなものがある（特許文献３）。
【０００５】
画像表示媒体において粒子の電気泳動を利用したものとしては、他に、対向配置させた基板間に、少なくとも絶縁性液体、１種類以上の帯電粒子及び基板間に形成された構造材とを備えた電気泳動装置であって、上記構造材のうち少なくとも表示部に存する部分が基板に固定されていないものがある（特許文献４）。
【０００６】
【特許文献１】特開平１１−１９０８４７号公報
【特許文献２】特開２００２−１６９１６７号公報
【特許文献３】特開２００３−２７０６７４号公報
【特許文献４】特開２００７−１４８００９号公報
【発明の概要】
【発明が解決しようとする課題】
【０００７】
本発明は、第１の基板及び第２の基板に固定した区分面を有する画像表示媒体と比較して柔軟性が高い上に、導電部を有しない画像表示媒体と比較して区分面を隔てて隣り合う画像電極の間に強度の高い電場が形成されている場合における前記区分面で隔てられた区分け間の粒子の移動を効果的に抑止できる画像表示媒体を提供することを目的とする。
【課題を解決するための手段】
【０００８】
請求項１に記載の発明は、電極が形成された第１の基板と、前記第１の基板に相対向するように配置され、画素電極が形成された第２の基板と、前記第１の基板に固定されているとともに、前記第１の基板と前記第２の基板との間の空間を行方向及び列方向に複数の区分けに区分する区分面と、前記第１の基板の電極と前記第２の基板の画素電極との間に形成される電界の強度及び方向に応じて前記区分けの内部を移動して画像を表示する粒子と、前記区分面における前記第２の基板に相対向する側の端部、及び前記第２の基板における前記区分面に相対向する位置にある２つの互いに隣接する画素電極の間の部分の少なくとも一方に設けられた導電部と、を備えた画像表示媒体に関する。
【０００９】
請求項２に記載の発明は、電極が形成された第１の基板と、前記第１の基板に相対向するように配置され、画素電極が形成された第２の基板と、前記第１の基板に固定され、前記第１の基板と前記第２の基板との間の空間を行方向及び列方向に複数の区分けに区分する第１の区分面と、前記第２の基板に前記第１の区分面に相対向するように固定され、前記第１の区分面とともに前記第１の基板と前記第２の基板との間の空間を行方向及び列方向に複数の区分けに区分する第２の区分面と、前記第１の基板の電極と前記第２の基板の画素電極との間に形成される電界の強度及び方向に応じて前記区分けの内部を移動して画像を表示する粒子と、前記第１の区分面における前記第２の基板に相対向する側の端部、前記第２の区分面、及び前記第２の基板における前記第２の区分面に相対向する位置にある２つの互いに隣接する画素電極の間の部分のうちの少なくとも１箇所に設けられた導電部と、を備えた画像表示媒体に関する。
【発明の効果】
【００１０】
請求項１に記載の発明によれば、第１の基板及び第２の基板に固定した区分面を有する画像表示媒体と比較して柔軟性が高い上に、導電部を有しない画像表示媒体と比較して区分面を隔てて隣り合う画像電極の間に強度の高い電場が形成されている場合における前記区分面で隔てられた区分け間の粒子の移動を効果的に抑止できる画像表示媒体が提供される。
【００１１】
請求項２に記載の発明によれば、区分面が第１の基板に固定された第１の区分面と第２の基板に固定された第２の区分面とに分かれていない形態の画像表示媒体と比較して区分面で隔てられた区分け間の粒子の移動を更に効果的に抑止できる画像表示媒体が提供される。
【図面の簡単な説明】
【００１２】
【図１】図１は、実施形態１に係る電子ペーパの構成を示す斜視断面図である。
【図２】図２は、実施形態１に係る電子ペーパの別の例について構成を示す斜視断面図である。
【図３】図３は、図１に示す態様の電子ペーパの構成を示す断面図である。
【図４】図４は、実施形態１に係る電子ペーパにおける導電部の構成の一例を示す拡大図である。
【図５】図５は、実施形態１に係る電子ペーパにおける導電部の構成の別の例を示す拡大図である。
【図６】図６は、実施形態１に係る電子ペーパにおける導電部の構成の更に別の例を示す拡大図である。
【図７】図７は、実施形態１に係る電子ペーパにおける導電部の構成の更に別の例を示す拡大図である。
【図８】図８は、実施形態１に係る電子ペーパにおいてリブが表面基板に接着された第１リブと背面基板に接着された第２リブとに分割された形態について構成を示す分解斜視図である。
【図９】図９は、リブが表面基板及び背面基板に接着された形態の電子ペーパを背面基板の側に屈曲したときに表面基板及び背面基板に作用する応力を示す概略図である。
【図１０】図１０は、実施形態１に係る電子ペーパにおけるセル間の遊動粒子の移動阻止効果を示す概略図である。
【発明を実施するための形態】
【００１３】
１．実施形態１
１−１  構成
以下、本発明の画像表示媒体の一例である電子ペーパについて以下に説明する。
実施形態１に係る電子ペーパ１００は、図１〜図３に示すように、透明電極２が下面に形成された透明な基板である表面基板１と、予め定められたピッチで形成された画素電極４が形成された背面基板３と、表面基板１と背面基板３との間の空間を行方向及び列方向に複数のセル６に区分する列方向及び行方向のリブ５とを備える。なお、表面基板１は本発明の第１の基板の一例に、透明電極２は第１の基板に形成された電極の一例に、背面基板３は第２の基板の一例に、セル６は区分けの一例に、リブ５は区分面の一例に相当する。
【００１４】
夫々のセル６の内部には、電気絶縁性の透明液である分散媒７が封入されている。分散媒７の中には白色に着色された球である浮遊粒子８と、イエロー（Ｙ）、マゼンタ（Ｍ）、またはシアン（Ｃ）の色彩に着色され、透明電極２と画素電極４との間に形成される電界の強度に応じて分散媒７内を表面基板１に向かう方向または背面基板３に向かう方向に泳動する泳動粒子９（９Ｙ、９Ｍ、９Ｃ）とが浮遊している。泳動粒子９は、本発明の粒子の一例に相当する。
【００１５】
リブ５は、表面基板１に接着され、背面基板３には接着されていない。リブ５における背面基板３に相対向する側の端部には、導電性を有する導電部１０が形成されている。
【００１６】
表面基板１は、透明材料から形成されている。透明材料としては、アクリル樹脂、ポリカーボネート樹脂、ポリエチレンテレフタレート樹脂、ポリエチレンスルフィド樹脂（ＰＥＳ）、ポリスルホン樹脂、及びポリエーテルスルホン樹脂などの透明樹脂が挙げられる。
【００１７】
透明電極２は、インジウム−錫酸化物（indium tin oxide:ＩＴＯ）及びインジウム−ジルコン酸化物（indium zirconium oxide:ＩＺＯ）などの透明導電性酸化物から形成される。透明電極２は、図１に示すように表面基板１のセル６側の面の全体に設けられていてもよく、図２に示すように一定のピッチで設けられたライン状の電極であってもよい。
【００１８】
背面基板３は、表面基板１と同様の透明材料から形成されていてもよく、ＡＢＳ樹脂やガラスエポキシ樹脂のような不透明な材料から形成されていてもよい。
【００１９】
画素電極４は、透明電極２と同様にＩＴＯやＩＺＯのような透明導電性酸化物から形成されてもよく、また、金箔や銅箔などの金属材料から形成されていてもよい。
【００２０】
但し、図１に示すように、透明電極２が表面基板１のセル６側の全面に設けられている場合は、画素電極４は二次元マトリクス状に形成され、図２に示すように、透明電極２が一定のピッチで形成されたライン状の電極のときは、画素電極４は、透明電極２に直交するように形成されたライン状の電極である。
【００２１】
表面基板１及び背面基板３においては、透明電極２及び画素電極４に重ねて絶縁性の保護層１Ａ及び３Ａを設けてもよい。
【００２２】
以下、リブ５及び導電部１０について詳説する。
【００２３】
リブ５は、図１〜図４、図５の（Ａ）、及び図６に示すように、表面基板１から背面基板３に向かって設けられた部分のみから構成されていてもよく、また、図５の（Ｂ）及び図７に示すように表面基板１に接着された第１リブ５Ａと背面基板３に接着された第２リブ５Ｂとの２つの部分に分かれていてもよい。
【００２４】
リブ５が表面基板１から背面基板３に向かって設けられた部分のみから構成されている態様においては、リブ５は表面基板１における保護層１Ａの上、言い換えればセル６に面する側に接着され、背面基板３には接着されていない。但し、リブ５を、表面基板１における保護層１Ａの上に接着する代わりに、保護層１Ａと一体に形成してもよい。なお、リブ５と背面基板３との間の間隙の大きさは、泳動粒子９の直径よりも小さいことが望ましい。
【００２５】
リブ５が第１リブ５Ａと第２リブ５Ｂとに分かれている態様においては、図８に示すように第１リブ５Ａと第２リブ５Ｂとは互いに相対向するように配置され、互いに協働してセル６を区画する。但し、第１リブ５Ａの頂面と第２リブ５Ｂの頂面とは互いに一部接していてもよいが、接着はされていない。なお、この態様においては、図８に示すように第２リブ５Ｂの背面基板３からの長さと第１リブの表面基板１からの長さとが同一であってもよく、第２リブ５Ｂの背面基板３からの長さが第１リブの表面基板１からの長さよりも長くてもよく、また短くてもよい。なお、第１リブ５Ａの端面と第２リブ５Ｂの端面との間隙の大きさは、浮遊粒子８及び泳動粒子９の直径の長さが長い方よりも小さいことが望ましい。なお、上記の間隙は、第１リブ５Ａの端面と第２リブ５Ｂの端面とで最も距離が離れている点の間の長さを指している。
【００２６】
リブ５の形状は、通常は行方向及び列方向の碁盤目状であるが、ハニカム状であってもよい。なお、リブ５がハニカム状のときはセル６の平面形状は正六角形になる。
【００２７】
リブ５の表面基板１からの長さは特に制限はないが、１０〜１００μｍ程度が電子ペーパ１００の柔軟性の点から望ましい。幅は、リブ高さ、リブの断面アスペクト比にもよるが、５〜２０μｍ程度が望ましい。また、セル６の一辺の長さは０．１〜１ｍｍ程度が望ましい。
【００２８】
リブ５は、感光性樹脂を用いてフォトリソグラフィ法で形成してもよく、光硬化性液状樹脂や光硬化性フィルムに凹型を押圧して硬化させてもよい。また、熱可塑性樹脂フィルムを加熱、軟化させて凹型を押圧して冷却、固化させて形成してもよく、熱硬化性樹脂に凹型を押圧して熱硬化させて形成してもよい。更に、透明の液状樹脂によってスクリーン印刷やインクジェット印刷で予め定めたパターンを印字し、熱、光、電子線など適宜の手段で硬化させてもよい。
【００２９】
リブ５は、また、必ずしも透明でなくてもよく、黒、灰色、白色の無彩色であってもよい。
【００３０】
リブ５が表面基板１におけるセル６に面する側に接着された部分のみからなる態様においては、導電部１０は、図４に示すように、リブ５における背面基板３に相対する側の端面に設けられていてもよく、図５の（Ａ）に示すように、リブにおける前記端面の近傍に設けられていてもよい。
【００３１】
また、図６の（Ａ）に示すように、導電部１０は、背面基板３における互いに隣接する２つの画素電極４の間の部分であってリブ５の端面に相対向する部分に設けてもよい。
【００３２】
更に、図６の（Ｂ）に示すように、導電部１０は、リブ５における背面基板３に相対する側の端面に設けられた導電部１０Ａと、背面基板３における互いに隣接する２つの画素電極４の間の部分であってリブ５の端面に相対向する部分に設けられた導電部１０Ｂと、導電部１０Ａと導電部１０Ｂとを電気的に接続する接続部１０Ｃとから構成されていてもよい。
【００３３】
リブ５が第１リブ５Ａと第２リブ５Ｂとからなる態様においては、図５の（Ａ）に示すように、導電部１０は、第１リブ５Ａにおける背面基板３に相対向する側の端面のみに設けてもよく、図７に示すように第１リブ５Ａと第２リブ５Ｂとの相対向する側の端面に設けてもよい。
【００３４】
導電部１０の材料としては、たとえば銀、金、銅、アルミニウムなどの各種金属、酸化錫インジウム、酸化錫ジルコニウムなどの導電性酸化物、各種導電性錯体、ポリアセチレンなどの導電性ポリマ、アモルファスシリコンなどの半導体、及びこれらの材料の粉末または繊維を合成樹脂に配合したものなどが挙げられる。ただし、リブ５を挟んで隣接する２つのセル６間の泳動粒子９の移動を防止するという点からは、電気抵抗率は１０８Ω・ｃｍ以下であることが望ましい。
【００３５】
導電部１０は、例えば、リブ５を形成後、前記金属材料、導電性酸化物、導電性ポリマ、または半導体をリブ５の端面または背面基板３の予め定めた箇所に蒸着し、必要に応じてエッチングで不要な部分の被膜を除去するという工程により、形成される。
【００３６】
また、フォトリソグラフィ法、光硬化性液状樹脂や光硬化性フィルム、軟化した熱可塑性樹脂フィルム、または液状熱硬化性樹脂に凹形を押圧して冷却、固化させる方法、透明樹脂で印字したパターンを硬化させる方法などによってリブ５を形成した後、前記光硬化性液状樹脂や液状熱硬化性樹脂などにカーボンブラック、金属粉末、導電性酸化物、半導体、導電性ポリマなどの導電性粉末を配合したものを形成したリブ５の端面にスクリーン印刷などによって塗布し、硬化させるなどの方法によっても形成される。導電部１０の厚さは、透明電極２と画素電極４との間に形成される電界の強度に影響を与えないという点からはリブ５の表面電極１からの長さの１／５００〜１／１０程度が望ましい。
【００３７】
最後に分散媒７等について説明する。
分散媒７は、電気絶縁性の液体であれば特に制限は無いが、通常はシリコーン油、変性シリコーン油、フッ素油、イソパラフィンなどが使用される。粘度は１〜１００ｍＰａ・ｓ程度が望ましい。分散媒７には、浮遊粒子８及び泳動粒子９の分散を改善するために界面活性剤を添加してもよい。
【００３８】
浮遊粒子８としては、通常は白色の粒径０．１〜２０μｍ程度の粒子が使用される。浮遊粒子８は、白色または泳動粒子とは異なる色彩に着色された粒子であり、分散媒中に浮遊、あるいはパッキング状態で固定、あるいはお互いに固着された状態で多孔質体を形成していてもよい。泳動粒子９は、この浮遊粒子８の間を通って透明電極２と画素電極４との間を泳動し、予め定めた画素データに従った画像を表示する。
【００３９】
浮遊粒子８としては、たとえばアクリル樹脂やスチレン樹脂などの熱可塑性を有する樹脂から形成した粒子が使用される。
【００４０】
浮遊粒子８は、表面基板１と背面基板３との間の領域内において少なくとも表面基板１の板面方向に粒子が配列されて構成されていればよいが、図１及び図２に示すように、表面基板１と背面基板３との間の全領域に渡って、浮遊粒子８が互いに動けない程度の密度で充填されていることが望ましい。
【００４１】
浮遊粒子８の平均粒径は、特に限定されるものではないが、浮遊粒子８の集合体を表面基板１と背面基板３との間の領域に配置したときに、隣接する浮遊粒子８との間に泳動粒子９が通過できる程度の間隔が生じる程度の平均粒径を有していることが望ましい。
【００４２】
このため、浮遊粒子８の平均粒径は、泳動粒子９の平均粒径の１０倍以上であることが好ましく、２５倍以上であることが望ましい。浮遊粒子８の平均粒径が、泳動粒子９の平均粒径の１０倍未満では、浮遊粒子８と粒子の間を介して泳動粒子９が通過することが困難となるため、表示色濃度の変更が困難となる場合がある。なお、浮遊粒子８の平均粒径の上限は特に限定されないが、表面基板１と背面基板３との間の距離より小さい。
【００４３】
一例としては、泳動粒子９の平均粒径が後述するように０．０１μｍ〜１μｍである場合には、浮遊粒子８の平均粒径が１μｍ〜２０μｍの範囲内であることが望ましい。
【００４４】
なお、浮遊粒子８の色は、泳動粒子９の色と異なるものであれば特に限定されない。浮遊粒子８を着色する場合には、浮遊粒子８を構成する材料中に泳動粒子９の着色時に用いた着色剤等の公知の着色剤を含有させればよい。具体的には、例えば、浮遊粒子８の色を白色とするには、浮遊粒子８の表面に白色材を固定すればよい。この白色材としては、二酸化チタンや、チタン酸バリウム、硫酸バリウム、及び炭酸カルシウム等の白色顔料が用いられる。
【００４５】
泳動粒子９としては、Ｙ、Ｍ、またはＣの色彩に着色された微粒子が使用される。更に、黒色（Ｋ）に着色された微粒子も使用される。泳動粒子９の直径は、１μｍ以下が望ましく、特に１０〜２００ｎｍ程度が望ましい。
【００４６】
泳動粒子９としては、これらの色彩の顔料または着色料を分散させた媒体中でＭＭＡなどを懸濁重合して得られた微粒子が、真球度が高い故に望ましいが、ほかに、これらの色彩の顔料を分散させたトナー粒子やワックス粒子も使用される。またプラズモン共鳴による発色を呈する金属微粒子も使用される。
【００４７】
１−２  作用
以下、実施形態１に係る電子ペーパの作用について述べる。
【００４８】
表面基板１の透明電極２と背面基板３の画素電極４とを、ドライバを介して駆動回路に接続し、透明電極２の電位を０Ｖに設定して、画素電極４に任意の電圧が印加されるようにすると、画素電極４の電圧を変化させることにより、泳動粒子９Ｙ、９Ｍ、９Ｃの何れか、または２種類以上を、浮遊粒子８に対して表面基板１側に移動させて任意のカラー表示が行なわれる。
【００４９】
ここで、リブ５の一端を表面基板１に、他端を背面基板３に接着した図９の（Ａ）に示す形態の電子ペーパ１００において、図９の（Ｂ）に示すように背面基板３側に屈曲させると、図９の（Ｃ）の拡大図に示すようにリブ５に集中するせん断応力が発生する。
【００５０】
前記せん断応力は、リブ５を、一端において表面基板１に接着し、他端においては背面基板３に接着しないか、反対に、一端において表面基板１に接着することなく、他端において背面基板３に接着するかの何れかの手段により、表面基板１及び背面基板３の一方とリブ５との電子ペーパ１００の面に沿った方向の相対移動を可能にするか、または、リブ５を、表面基板１に接着される第１リブ５Ａと、背面基板３に接着される第２リブとの２つに分割して第１リブ５Ａと第２リブ５Ｂとの電子ペーパ１００の面に沿った方向の相対移動を可能にすることにより、大幅に低減される。
【００５１】
しかしながら、リブ５に導電部１０を形成しない場合には、リブ５を挟んで隣接する２つの画素電極４のうちの左側に正電圧＋Ｖを、右側に負電圧−Ｖを印加すると、図９の（Ｂ）において矢印Ｅで示すように右側の画素電極４から左側の画素電極４に向かう電場が発生する。したがって、泳動粒子９のうち正に帯電したものは、前記電場からの電気力によって図９の（Ｂ）に示すように、左側のセル６からリブ５の端面５と背面基板３との間の間隙を通って右側のセル６に移動する。
【００５２】
これに対して、電子ペーパ１００においては、図１０の（Ａ）に示すように、リブ５または背面基板３に形成された導電部１０と左側の画素電極４及び右側の画素電極４との間に電場が生じるものの、リブ５を挟んで２つのセル６の一方から他方に向かう電場は生じないから、泳動粒子９の左側のセル６から右側のセル６への移動及び右側のセル６から左側のセル６への移動の何れも効果的に防止または抑止される。
【００５３】
電子ペーパ１００においては柔軟性が高いことが要求されるが、リブ５を表面基板１または背面基板３に固定するという構成とすることにより、リブ５を表面基板１と背面基板３とに固定した場合と比較して電子ペーパに高い柔軟性が付与される。
【００５４】
但し、電子ペーパ１００においては、画像表示側とは反対側に位置する背面基板３に電子ペーパ１００を駆動するための画素電極４が形成されるから、リブ５を表面電極１に固定する場合には、リブ５を隔てて隣り合う画素電極４に異なる電圧を印加して生じる電界に起因するリブ５を隔てて隣り合うセル６間の泳動粒子９の移動を防止する手段を講じる必要がある。
【００５５】
以上、第１の基板及びその上に形成された電極が透明とされた例について述べてきたが、本発明の画像表示媒体に包含される電子ペーパは前記の態様には限定されず、第１の基板及びその上に形成された電極が不透明であって第２の基板及びその上に形成された画素電極が透明であり、第２の基板の側に画像を表示するようにされた態様、及び第１の基板と第２の基板との何れも透明とされた態様も本発明の実施形態としての電子ペーパに包含される。
【００５６】
また、分散媒と浮遊粒子と泳動粒子とを用い、泳動粒子が厚さ方向に移動することによって画像を表示する形態の電子ペーパについて説明したが、泳動粒子が電子ペーパの面方向に沿って移動して画像を表示する形態の電子ペーパも本発明の実施形態としての電子ペーパに包含される。
【００５７】
更に、粒子の移動を利用して画像を表示する形態の画像表示媒体であれば、電子ペーパには限定されない。
【００５８】
電子ペーパ１００（画像表示媒体）においては、導電部１０を、リブ５（区分面）における背面基板３（第２の基板）に相対向する側の端部、及び背面基板３におけるリブ５に相対向する位置にある２つの互いに隣接する画素電極４の間の部分に設けてもよい。
【００５９】
前記形態の電子ペーパ１００によれば、リブ５の端部及び背面基板３の何れかに導電部１０が設けられた形態の電子ペーパ１００と比較してセル６間の泳動粒子９（粒子）の移動を更に効果的に抑止できる。
【００６０】
電子ペーパ１００においては、リブ５に設けられた導電部１０と背面基板３に設けられた導電部１０とを互いに電気的に接続してもよい。
【００６１】
前記形態の電子ペーパ１００によれば、リブ５の端部に設けられた導電部１０と背面基板３に設けられた導電部１０とが電気的に接続されていない形態の電子ペーパ１００と比較して区分け間の粒子の移動を更に効果的に抑止できる。
【００６２】
リブ５が表面基板１に接着された第１リブ５Ａ（第１の区分面）と、背面基板３に接着された第２リブ５Ｂ（第２の区分面）とに分かれている形態の電子ペーパ１００において、導電部１０を、背面基板３、及び背面基板３における第２リブ５Ｂに相対向する位置にある２つの互いに隣接する画素電極４の間の部分に設けてもよい。
【００６３】
前記形態の電子ペーパ１００によれば、第１リブ５Ａ、第２リブ５Ｂ、及び背面基板３の何れかに導電部１０が設けられた形態の電子ペーパ１００と比較してリブ５で隔てられたセル６間の泳動粒子９の移動を更に効果的に抑止できる。
【００６４】
前記形態の電子ペーパ１００においては、第２リブ５Ｂに設けられた導電部１０と背面基板３に設けられた導電部１０とを互いに電気的に接続してもよい。
【００６５】
第２リブ５Ｂに設けられた導電部１０と背面基板３に設けられた導電部１０とを互いに電気的に接続することにより、第２リブ５Ｂに設けられた導電部１０と背面基板３に設けられた導電部１０とが電気的に接続されていない形態の電子ペーパ１００と比較してリブ５で隔てられたセル６間の泳動粒子９の移動を更に効果的に抑止できる。
【００６６】
電子ペーパ１００においては、セル６の内部に電気絶縁性の透明液である分散媒７を封入し、泳動粒子９を前記分散媒に懸濁させてもよい。
【００６７】
前記形態の電子ペーパ１００においては、セル６内部に泳動粒子９のみを封入した形態の電子ペーパ１００と比較して表面基板１に形成された透明電極２と背面基板３に形成された画素電極４との間の電界による泳動粒子９の泳動がより円滑に行われる。
【００６８】
セル６の内部に泳動粒子９を懸濁させた分散媒７を封入した電子ペーパ１００においては、分散媒７及び得銅粒子９に加えて泳動粒子９とは異なる色彩に着色された浮遊粒子８をセル６内部に封入し、泳動粒子９が浮遊粒子８の間を移動するようにしてもよい。
【００６９】
前記形態の電子ペーパ１００においては、セル６に浮遊粒子８が封入されていない形態の電子ペーパ１００と比較してセル６の背景色の影響を受けることなく画像を表示できる。
【００７０】
電子ペーパ１００と、電子ペーパ１００の透明電極２（電極）及び画素電極４に予め定めた電圧を印加する電圧印加回路と、を組み合わせることにより、画像表示装置を構成することができる。
【００７１】
前記画像表示装置は、リブ５が表面基板１及び背面基板３の両方に固定された電子ペーパ１００を有する画像表示装置と比較して画像表示部の柔軟性が高いうえに、リブ５（区分面）に導電部１０が設けられていない電子ペーパ１００を有する画像表示装置と比較して画像表示部におけるリブ５で隔てられたセル６間の泳動粒子９の移動を効果的に抑止できる。
【符号の説明】
【００７２】
１      表面基板
２      透明電極
３      背面基板
４      画素電極
５      リブ
６      セル
７      分散媒
８      浮遊粒子
９      泳動粒子
９Ｙ    泳動粒子
９Ｍ    泳動粒子
９Ｃ    泳動粒子
１０      導電部
１００      電子ペーパ
【図１】
2011028186.tif 000003
【図２】
2011028186.tif 000004
【図３】
2011028186.tif 000005
【図４】
2011028186.tif 000006
【図５】
2011028186.tif 000007
【図６】
2011028186.tif 000008
【図７】
2011028186.tif 000009
【図８】
2011028186.tif 000010
【図９】
2011028186.tif 000011
【図１０】
2011028186.tif 000012